(57)【要約】【課題】簡単な構成によってタンクレールの倒れを防止すること。【解決手段】パチンコ遊技機は、島設備から供給されるパチンコ球を整流しながら下流側の球払出装置１５へ流下させるタンクレール９と、タンクレール９が組み付けられる機構板１とを備える。タンクレール９の背面壁部６０の外面の長手方向中央部に、下向きの係止舌部５６を設けるとともに、機構板１に、係止舌部５６を案内する開口部５５ａと、係止舌部５６の内側側面５６ｂと当接する垂直面（垂直壁部５５ｃ）と、係止舌部５６の下端５６ａを支持する床面５５ｂとを有する倒れ防止溝部５５を設ける。【選択図】図８
2004073749.tif 000002
【特許請求の範囲】
【請求項１】
島設備から供給されるパチンコ球を整流しながら下流側の球払出装置へ流下させるタンクレールと、該タンクレールが組み付けられる機構板とを備えるパチンコ遊技機であって、
前記タンクレールの背面壁部の外面の長手方向中央部に、下向きの係止舌部を設けるとともに、
前記機構板に、前記係止舌部を案内する開口部と、前記係止舌部の内側側面と当接する垂直面と、前記係止舌部の下面を支持する床面とを有する倒れ防止溝部を設けた
ことを特徴とするパチンコ遊技機。
【請求項２】
前記タンクレールの背面壁部の下流側外面に円筒リブを水平に突設するとともに、前記機構板に前記円筒リブが外嵌されるボスを突設し、前記円筒リブ及び前記ボスをねじ結合することを特徴とする請求項１記載のパチンコ遊技機。
【発明の詳細な説明】
【０００１】
【発明の属する技術分野】
本発明は、パチンコ遊技機、特に、球払出装置へ球を流下させるタンクレールを機構板に組み付ける組付構造に特徴を有するパチンコ遊技機に関する。
【０００２】
【従来の技術】
パチンコ遊技機は、裏側に機構板を有しており、この機構板に、賞球の払出しを行なう球払出装置が組み付けられている。そして、球払出装置の上流には、島設備から供給されてきたパチンコ球を整流して球払出装置へ流下させるタンクレールが設けられている。
【０００３】
従来、タンクレールは、通常、背面壁部側を機構板にねじ止めする片持ち法によって機構板に組み付けられていた。
【０００４】
【発明が解決しようとする課題】
しかし、上記の如きタンクレール組付構造によると、タンクレール内のパチンコ球の重量でタンクレールが機構板の後方へ傾いて倒れるという問題があった。特に、特開２０００−３１７０９８、特開２００１−６２１０４などに記載される如きタンクレール、つまり、タンクから流下してきた複数列及び複数段の不規則な球の流れを上流側整列部において単数列の流れに整列し、さらに、この単数列の流れを下流側整列部において単数段の流れに整列して球払出装置に供給するよう構成されたタンクレールは、前後方向の幅が大きいため倒れ易い。
【０００５】
本発明は、上記の如き従来の問題点を解決し、簡単な構成によってタンクレールの倒れを防止することができるパチンコ遊技機を提供することを主な目的とする。
【０００６】
さらに、本発明は、簡単な作業によってタンクレールを機構板に組み付けることができるパチンコ遊技機を提供することを目的とする。
【０００７】
【課題を解決するための手段】
請求項１に係るパチンコ遊技機は、島設備から供給されるパチンコ球を整流しながら下流側の球払出装置へ流下させるタンクレールと、該タンクレールが組み付けられる機構板とを備えるパチンコ遊技機であって、前記タンクレールの背面壁部の外面の長手方向中央部に、下向きの係止舌部を設けるとともに、前記機構板に、前記係止舌部を案内する開口部と、前記係止舌部の内側側面と当接する垂直面と、前記係止舌部の下面を支持する床面とを有する倒れ防止溝部を設けたことを特徴とする。
【０００８】
請求項１に係るパチンコ遊技機において、タンクレールを機構板に組み付ける際、タンクレールの係止舌部は倒れ防止溝部の開口部から案内され、係止舌部の下面が倒れ防止溝部の床面で支持されるとともに係止舌部の内側側面が垂直面と当接状態となる。このため、パチンコ遊技機の使用時に、パチンコ球の重量によってタンクレールを傾斜させようとする力が働いても、係止舌部が倒れ防止溝部に停留することにより、タンクレールの倒れを防止することができる。
【０００９】
請求項２に係るパチンコ遊技機は、請求項１において、前記タンクレールの背面壁部の下流側外面に円筒リブを水平に突設するとともに、前記機構板に前記円筒リブが外嵌されるボスを突設し、前記円筒リブ及び前記ボスをねじ結合することを特徴とする。
【００１０】
請求項２に係るパチンコ遊技機において、タンクレールを機構板に組み付ける際、タンクレールの円筒リブを機構板のボスに外嵌させ、その後に、倒れ防止溝部の上方からタンクレールの係止舌部を倒れ防止溝部に挿入してタンクレールの仮固定を行なう。このため、円筒リブとボスを設けたことにより、タンクレールの下流側端部を機構板に対して位置決めする作業が容易になる。
【００１１】
【発明の実施の形態】
以下、本発明の実施形態を図面に基づいて説明する。
【００１２】
図１及び図２は、全体として１つの分解斜視図を構成し、本発明の一実施形態に係るパチンコ遊技機の機構板及び機構板に組み付けられるケース類の分解斜視図である。図３は、機構板にケース類及び基板が組み付けられた状態の裏面図を示す。
【００１３】
図１〜図３において、１は、図示しない前面枠に対し開閉可能に組み付けられる機構板を表しており、機構板１は、ＡＢＳなどプラスチック製で一体成形され、中央部に、図示しない遊技盤の裏面側の組付部品を収容する窓２が形成され、全体として枠形状をしている。機構板１の右側部の上側蝶番取付部３には上側蝶番４がねじ止めされ、下側蝶番取付部５には下側蝶番６がねじ止めされ、機構板１は、上側蝶番４及び下側蝶番６により、図示しない前面枠に対して開閉可能とされる。
【００１４】
機構板１の取付面１００のタンク取付部Ａには、島設備からのパチンコ球の供給を上方から受けるタンク７がねじ止めされる。
【００１５】
機構板１の取付面１００においてタンク７の下流側に位置するタンクレール取付部Ｂには、タンク７から流下してきたパチンコ球を前後方向２列に整流するための整流通路８を有するタンクレール９がねじ止めされる。タンクレール９は上向き開口部１０を有しており、この上向き開口部１０は、上流側蓋部材１１と下流側蓋部材１２とで閉塞可能とされる。
【００１６】
タンク７、タンクレール９、上流側蓋部材１１及び下流側蓋部材１２は、いずれも導電性を有するプラスチック製例えばカーボン繊維入りＡＢＳ製であり、タンク７はアース板金１３を介してアース可能とされ、タンクレール９はアース板金１３又はアース板金１４を介してアース可能とされる。
【００１７】
機構板１の取付面１００においてタンクレール９の下流に位置する球払出装置取付部Ｃには、タンクレール９から流下してきたパチンコ球をカウントしながら払出しを行なうとともに上流側のパチンコ球を全て排出するための球抜きを行なう球払出装置１５（図３）が嵌合手段によって組み付けられる。球払出装置１５のカウンタケース１６は、左右方向に２分割されねじ結合される左側カウンタケース１７と右側カウンタケース１８とから構成される。カウンタケース１６は、導電性を有するプラスチック製例えばカーボン繊維入りＡＢＳ製であり、アース板金１４を介してアース可能とされる。
【００１８】
機構板１の取付面１００において球払出装置１５の下流側に位置する受皿誘導樋取付部Ｄには、球払出し時に球払出装置１５から流下してくるパチンコ球を受皿（図示せず）へ誘導するとともに球抜き時に球払出装置１５から流下してくるパチンコ球を排出口１９ａへ誘導する受皿誘導樋１９がねじ止めされる。受皿誘導樋１９は、前後方向に２分割された前側受皿誘導樋２０と後側受皿誘導樋２１とから構成される。受皿誘導樋１９は、導電性を有するプラスチック製例えばカーボン繊維入りＡＢＳ製であり、下側蝶番６を介してアース可能とされる。
【００１９】
受皿誘導樋１９の裏面１９ｂには、球払出装置１５の球払出を制御する払出制御基板２２を収容する払出制御ボックス２３が組み付けられる。払出制御ボックス２３は、前後方向に２分割された前側払出制御ボックス２４と後側払出制御ボックス２５とをねじ結合により一体化して構成される。なお、符号２６は、払出制御基板２２のリセットピン、２７は、払出制御ボックス２３にねじ止めされるプリペイドカードユニットへの中継基板ケースを表している。
【００２０】
機構板１の取付面１００における上端コーナーの電源中継基板取付部Ｅには、電源中継基板２８を収容する電源中継基板ケース２９が組み付けられる。電源中継基板ケース２９は、前後方向に２分割された前側電源中継基板ケース３０と後側電源中継基板ケース３１とをねじ結合により一体化して構成される。
【００２１】
機構板１の取付面１００における下端の電源基板取付部Ｆには、電源基板３２を収容する電源基板ケース３３が組み付けられる。電源基板ケース３３は、前後方向に２分割された前側電源基板ケース３４と後側電源基板ケース３５とを嵌合手段により一体化して構成される。
【００２２】
機構板１の取付面１００における下部の基板取付部Ｇには、基板ユニットベース３６が組み付けられる。基板ユニットベース３６には、基板ユニットカバー３７及び配線カバー３８がねじ止めされ、基板ユニットカバー３７に、主基板（図示せず）を収容する主基板ケース４０が組み付けられる。主基板ケース４０は、前後方向に２分割された前側主基板ケース４１と後側主基板ケース４２とを一体化して構成される。
【００２３】
機構板１の取付面１００の左側部には、上側軸受部４３と下側軸受部４４とが形成されており、役物カバー４５の左側部に形成された上側軸部及び下側軸部（図２には現れていない。）がそれぞれ上側軸受部４３及び下側軸受部４４に回動自在に保持され、役物カバー４５は、機構板１の窓２を開閉する。役物カバー４５は、役物カバー４５の右側部に形成された弾性係止爪４５ａが機構板１の右側部に形成された係止孔４６に係止されることによって閉状態に保持される。
【００２４】
機構板１の取付面１００とは反対側の面における下部の入賞球通路取付部Ｈには、入賞球通路ケース４７が組み付けられる。入賞球通路ケース４７は、前後方向に２分割された入賞球通路ケース本体４８と入賞球通路ケース板４９とを一体化して構成される。入賞球通路ケース４８は、導電性を有するプラスチック製例えばカーボン繊維入りＡＢＳ製である。
【００２５】
機構板１の下部には、受皿に通じる貫通孔５０が形成されており、この貫通孔５０に球出口防犯板金５１が挿通される。なお、符号５２及び５３は、それぞれ配線押さえ部材を表している。
【００２６】
図４は、図１図示のタンクレール９を機構板１側から見たときの拡大斜視図、図５は、機構板１に対するタンクレール９の組付方法を説明するための組付前の斜視図、図６は、組付後の斜視図、図７は、組付前の機構板１の倒れ防止溝部とタンクレール９の係止舌部との位置関係を表した斜視図、図８は、組付後の倒れ防止溝部と係止舌部との位置関係を表した斜視図を示す。
【００２７】
図４〜図８において、タンクレール９は、正面壁部５９と背面壁部６０と左側面壁部６１と右側面壁部６２と底面壁部６３とで囲まれた袋形状をしており、正面壁部５９と背面壁部６０との間に中央隔壁部６４が底面壁部６３から立設されており、中央隔壁部６４を挟んで前側整流通路８Ａ及び後側整流通路８Ｂを形成している。前側整流通路８Ａ及び後側整流通路８Ｂは、それぞれ、基本的に、タンク７から流下してきた複数列及び複数段の不規則な球の流れを上流側整列部９ａにおいて単数列の流れに整列し、さらに、この単数列の流れを下流側整列部９ｂにおいて単数段の流れに整列して球払出装置１５に供給するよう構成されている。
【００２８】
背面壁部６０の外面において、下流側の端部には、円筒リブ６５が水平に形成されており、また、長手方向中央部には、下向きの係止舌部５６が形成されており、また、上流側の端部には、上下２つのねじ挿通孔６９を有する垂直な取付板部６６が形成されており、さらに、背面壁部６０の長手方向中央部には、ねじ挿通孔６７が形成されている。
【００２９】
機構板１のタンクレール取付部Ｂにおいて、球払出装置取付部Ｃの上方に、ねじ孔５４ａを有するボス５４が形成されており、このボス５４はタンクレール９の円筒リブ６５に内嵌可能に構成されている。また、タンクレール取付部Ｂの左右方向中央部に、ねじ孔５８ａを有するボス５８が形成されており、このボス５８のねじ孔５８ａは、タンクレール９のねじ挿通孔６７と対向し得る。また、タンクレール取付部Ｂの左端部に、上下２つのねじ孔５７が設けられており、これらのねじ孔５７は、タンクレール９のねじ挿通孔６９と対向し得る。さらに、タンクレール取付部Ｂの左右方向中央部の下端に、倒れ防止溝部５５が形成されている。倒れ防止溝部５５は、上向きの開口部５５ａと、この開口部５５ａの下方の床面５５ｂと、この床面５５ｂの後端（タンクレール９側の端部）から立設された垂直壁部５５ｃとを有している。
【００３０】
次に、機構板１のタンクレール取付部Ｂにタンクレール９を組み付ける作業を説明する。
【００３１】
まず、図５に示すようにタンクレール９を機構板１の正面（パチンコ遊技機の裏面側の面）側に配し、タンクレール９の円筒リブ６５をタンクレール取付部Ｂのボス５４に外嵌させる。次に、上記嵌合状態を保持しながら、図７に示すようにタンクレール９の係止舌部５６をタンクレール取付部Ｂの倒れ防止溝部５５の上方から倒れ防止溝部５５の開口部５５ａに挿入し、図８に示すように係止舌部５６の下端５６ａを倒れ防止溝部５５の床面５５ｂに接地させる。このような作業によってタンクレール９がタンクレール取付部Ｂに仮固定される。この仮固定状態のとき、円筒リブ６５とボス５４が嵌合状態にあることは勿論のこと、タンクレール９のねじ挿通孔６７は、タンクレール取付部Ｂのねじ孔５８ａと対向し、また、タンクレール９の２つのねじ挿通孔６９は、タンクレール取付部の２つのねじ孔５７と対向している。
【００３２】
次に、ボス５４のねじ孔５４ａ及び他のねじ孔５７，５８ａにそれぞれねじ７１，７２，７３をねじ込む。これにより、図６に示すようにタンクレール９はタンクレール取付部Ｂに完全に固定して組み付けられる。この組付状態のとき、係止舌部５６の内側側面５６ｂは垂直壁部５５ｃと当接状態にあり、また、タンクレール９の背面壁部６０において、係止舌部５６よりも上流側の部分がタンクレール取付部Ｂの垂直面７０と当接状態にある。このため、パチンコ遊技機の使用時に、パチンコ球の重量によってタンクレール９を傾斜させようとする力が働いても、係止舌部５６が垂直壁部５５ｃの垂直面と当接状態に保持され、つまり係止舌部５６が倒れ防止溝部５５に停留するため、タンクレール９の倒れを防止することができる。
【００３３】
以上説明したように、本実施形態に係るパチンコ遊技機は、島設備から供給されるパチンコ球を整流しながら下流側の球払出装置１５へ流下させるタンクレール９と、タンクレール９が組み付けられる機構板１とを備えるパチンコ遊技機であって、タンクレール９の背面壁部６０の外面の長手方向中央部に、下向きの係止舌部５６を設けるとともに、機構板１に、係止舌部５６を案内する開口部５５ａと、係止舌部５６の内側側面５６ｂと当接する垂直面（垂直壁部５５ｃ）と、係止舌部５６の下端５６ａを支持する床面５５ｂとを有する倒れ防止溝部５５を備える。
【００３４】
そして、タンクレール９を機構板１に組み付ける際、タンクレー９ルの係止舌部５６は倒れ防止溝部５５の開口部５５ａから案内され、係止舌部５６の下端５６ａが倒れ防止溝部５５の床面５５ｂで支持されるとともに係止舌部５６の内側側面５６ｂが垂直面５５ｃと当接状態となる。このため、パチンコ遊技機の使用時に、パチンコ球の重量によってタンクレール９を傾斜させようとする力が働いても、係止舌部５６が倒れ防止溝部５５に停留することにより、タンクレール９の倒れを防止することができる。
【００３５】
また、本実施形態に係るパチンコ遊技機は、タンクレール９の背面壁部６０の下流側外面に円筒リブ６５を水平に突設するとともに、機構板１に円筒リブ６５が外嵌されるボス５４を突設し、円筒リブ６５及びボス５４をねじ結合する。
【００３６】
そして、タンクレール９を機構板１に組み付ける際、タンクレール９の円筒リブ６５を機構板１のボス５４に外嵌させ、その後に、倒れ防止溝部５５の上方からタンクレール９の係止舌部５６を倒れ防止溝部５５に挿入してタンクレール９の仮固定を行なう。このため、円筒リブ６５とボス５４を設けたことにより、タンクレール９の下流側端部を機構板１に対して位置決めする作業が容易になる。
【００３７】
【発明の効果】
本発明のパチンコ遊技機によると、簡単な構成によってタンクレールの倒れを防止できるとともに、簡単な作業によってタンクレールを機構板に組み付けることができる。
【図面の簡単な説明】
【図１】図２と共に全体として１つの分解斜視図を構成し、本発明の一実施形態に係るパチンコ遊技機の機構板及び機構板に組み付けられるケース類の分解斜視図である。
【図２】図１と共に全体として１つの分解斜視図を構成し、本発明の一実施形態に係るパチンコ遊技機の機構板及び機構板に組み付けられるケース類の分解斜視図である。
【図３】機構板にケース類及び基板が組み付けられた状態の裏面図である。
【図４】図１図示のタンクレールを機構板側から見たときの拡大斜視図である。
【図５】機構板に対するタンクレールの組付方法を説明するための組付前の斜視図である。
【図６】組付後の斜視図である。
【図７】組付前の機構板の倒れ防止溝部とタンクレールの係止舌部との位置関係を表した斜視図である。
【図８】組付後の倒れ防止溝部と係止舌部との位置関係を表した斜視図である。
【符号の説明】
１　　機構板
９　　タンクレール
１５　　球払出装置
５４　　ボス
５５　　倒れ防止溝部
５５ａ　　開口部
５５ｂ　　床面
５５ｃ　　垂直壁部（垂直面）
５６　　係止舌部
５６ａ　　下端
５６ｂ　　内側側面
６０　　背面壁部
６５　　円筒リブ
【図１】
2004073749.tif 000003
【図２】
2004073749.tif 000004
【図３】
2004073749.tif 000005
【図４】
2004073749.tif 000006
【図５】
2004073749.tif 000007
【図６】
2004073749.tif 000008
【図７】
2004073749.tif 000009
【図８】
2004073749.tif 000010